(57)【要約】【課題】建物の外壁、窓、室内天井、室内間仕切り、床、外屋根などにおいて、積極的な冷房や暖房、除湿等を可能とし、場合によっては視覚的な演出、或いはミストシャワーや水滴によるカーテンのような体感性観賞物とすることができる建物の熱交換システムを提供する。【解決手段】水が流れる状態を継続保持させることでこの流水１２に対して空気流との接触領域１３を形成させる流水支持部２と、流水支持部２へ流水１２の源とする水又は湯を連続供給する給水装置３と、冷却又は昇温させた空気流を流水支持部２で形成される流水１２へ向けて送り込むヒートポンプ４と、流水支持部２により形成される接触領域１３で流水１２に接触した後の空気流を熱交換の対象領域へ向けて誘導する送気部とを有している。【選択図】図１
2015083917.tif 000002
【特許請求の範囲】
【請求項１】
水が流れる状態を継続保持させることでこの流水に対して空気流との接触領域を形成させる流水支持部と、
前記流水支持部へ前記流水の源とする水又は湯を連続供給する給水装置と、
冷却又は昇温させた空気流を前記流水支持部により形成される接触領域へ向けて送り込むヒートポンプと、
前記流水支持部により形成される接触領域で前記流水に接触した後の前記空気流を熱交換の対象領域へ向けて誘導する送気部と
を有していることを特徴とする建物の熱交換システム。
【請求項２】
前記流水支持部は水を伝わせるための支持板を有していることを特徴とする請求項１記載の建物の熱交換システム。
【請求項３】
前記支持板は透明板により形成されていることを特徴とする請求項２記載建物の熱交換システム。
【請求項４】
前記送気部は、前記接触領域と前記対象領域との間を仕切る配置で前記流水支持部の前記支持板と併設される覆い板を有しており、この覆い板に前記接触領域と前記対象領域とを連通させる通気孔が貫通形成されていることを特徴とする請求項２又は請求項３記載の建物の熱交換システム。
【請求項５】
前記給水装置は、前記流水支持部において前記接触領域とは逆向きとなる側の背領域を覆うように形成される貯水部を有しており、前記流水の源とする水又は湯を事前に当該貯水部へ供給して満水状態にさせ、この貯水部から前記流水支持部へ通じる導水路を介して当該流水支持部へ水又は湯の供給を行って前記流水とさせる構造であることを特徴とする請求項１乃至請求項４のいずれか１項に記載の建物の熱交換システム。
【請求項６】
前記流水支持部は、建物の外壁、窓、室内天井、間仕切り壁、床、外屋根のうちいずれかであることを特徴とする請求項１乃至請求項５のいずれか１項に記載の建物の熱交換システム。
【発明の詳細な説明】
【技術分野】
【０００１】
本発明は、建物の熱交換システムに関するものである。
【背景技術】
【０００２】
従来、複数枚のガラス板を並べたガラス板構造体により、ガラス板相互間にスペースを確保し、このスペースに液体（着色した水など）を貯留できるようにした技術が知られている（例えば、特許文献１〜５等参照）。これらの技術は、スペースに対して液体を出し入れしたり、或いは、スペース内に入れた液体の温度を変化させたりすることで、必要に応じて、ガラス板構造体の外観を変色させたり、視線や光、熱などを遮断又は通過させたりできるようにしたものであって、建物や自動車などの窓構造として採用可能なものとされている。
【先行技術文献】
【特許文献】
【０００３】
【特許文献１】特開平６−２２１０６３号公報
【特許文献２】特開平１１−１０１０７６号公報
【特許文献３】特開２００６−５７２６１号公報
【特許文献４】特開平６−１２７９８１号公報
【発明の概要】
【発明が解決しようとする課題】
【０００４】
ガラス板相互間に液体貯留用のスペースを形成させる従来の技術は、単に、スペースに対する液体の出し入れやスペース内液体の温度変化を行うだけのものである。それ故、ガラス板構造物の一方側で多少の保温効果を生じさせることはできたとしても、積極的な冷房や暖房、除湿を可能にするものではなかった。
本発明は、上記事情に鑑みてなされたものであって、建物の外壁、窓、室内天井、室内間仕切り、床、外屋根などにおいて、積極的な冷房や暖房、除湿等を可能とし、場合によっては視覚的な演出、或いはミストシャワーや水滴によるカーテンのような体感性観賞物とすることができるようにした建物の熱交換システムを提供することを目的とする。
【課題を解決するための手段】
【０００５】
前記目的を達成するために、本発明は次の手段を講じた。
即ち、本発明に係る建物の熱交換システムは、水が流れる状態を継続保持させることでこの流水に対して空気流との接触領域を形成させる流水支持部と、前記流水支持部へ前記流水の源とする水又は湯を連続供給する給水装置と、冷却又は昇温させた空気流を前記流水支持部により形成される接触領域へ向けて送り込むヒートポンプと、前記流水支持部により形成される接触領域で前記流水に接触した後の前記空気流を熱交換の対象領域へ向けて誘導する送気部とを有していることを特徴とする。
【０００６】
前記流水支持部は水を伝わせるための支持板を有したものとするとよい。
この場合、前記支持板は透明板により形成することができる。
前記送気部は、前記接触領域と前記対象領域との間を仕切る配置で前記流水支持部の前記支持板と併設される覆い板を有しており、この覆い板に前記接触領域と前記対象領域とを連通させる通気孔が貫通形成されたものとしてもよい。
【０００７】
前記給水装置は、前記流水支持部において前記接触領域とは逆向きとなる側の背領域を覆うように形成される貯水部を有しており、前記流水の源とする水又は湯を事前に当該貯水部へ供給して満水状態にさせ、この貯水部から前記流水支持部へ通じる導水路を介して当該流水支持部へ水又は湯の供給を行って前記流水とさせる構造としてもよい。
前記流水支持部は、建物の外壁、窓、室内天井、間仕切り壁、床、外屋根のうちいずれかであるものとする。
【発明の効果】
【０００８】
本発明に係る建物の熱交換システムは、建物の外壁、窓、室内天井、室内間仕切り、床、外屋根などにおいて、積極的な冷房や暖房、除湿等が可能であり、場合によっては視覚的な演出、或いはミストシャワーや水滴によるカーテンのような体感性観賞物とすることもできる。
【図面の簡単な説明】
【０００９】
【図１】本発明に係る熱交換システムの第１実施形態を模式的に示した側断面図である。
【図２】本発明に係る熱交換システムの第２実施形態を模式的に示した側断面図である。
【図３】本発明に係る熱交換システムの第３実施形態を模式的に示した側断面図である。
【図４】本発明に係る熱交換システムの第４実施形態を模式的に示した側断面図である。
【図５】本発明に係る熱交換システムの第５実施形態を模式的に示した側断面図である。
【図６】本発明に係る熱交換システムの第６実施形態を模式的に示した側断面図である。
【図７】本発明に係る熱交換システムの第７実施形態を模式的に示した側面図である。
【図８】本発明に係る熱交換システムの第７実施形態で採用する屋根用パイプ材を示した斜視図である。
【図９】本発明に係る熱交換システムの第８実施形態で採用する送気部を示した正面図である。
【図１０】本発明に係る熱交換システムの第９実施形態を模式的に示した側断面図である。
【発明を実施するための形態】
【００１０】
以下、本発明の実施の形態を、図面に基づき説明する。
図１は、本発明に係る熱交換システム１の第１実施形態を示している。この熱交換システム１は、建物の内部又は建物の外部へ冷気や暖気を送り出して冷房や暖房等の効果が得られるようにするもので、水が流れる状態（流水状態）を継続的に作り出せるように（保持できるように）構成した流水支持部２を主体として有する。
【００１１】
そして、この流水支持部２に対し、給水装置３から流水発生のための連続給水を行いつつ、このようにして生じさせた流水に対してヒートポンプ４から空気流（冷気流又は暖気流）を送り込むようにする。これにより、空気流が冷気流である場合には、この空気流が流水との接触によって一層低温化した冷気になり、また空気流が暖気流である場合には、この空気流が一層昇温化した暖気になるので、このような冷気や暖気を熱交換（冷房又は暖房等）しようとする対象領域へ向けて送気部５から送り出す構成となっている。
【００１２】
本第１実施形態において、流水支持部２は、上下方向に起立して設けられる支持板８を有したものとしてある。また送気部５は、流水支持部２の支持板８に対して乖離して併設される覆い板９を有したものとしてある。前記のように支持板８を起立させていることに伴い、覆い板９も上下方向に起立させてある。このように起立する支持板や覆い板９を採用したことにより、本第１実施形態の熱交換システム１は、建物の外壁や窓などとして好適に適用できる。この場合、支持板８を建物の外側へ面するように配置し、覆い板９を建物の内側へ面するように配置する。
【００１３】
支持板８及び覆い板９は、ガラスなどの透明板により形成されている。すなわち、これら支持板８及び覆い板９は光を透過するので、支持板８側からは覆い板９を越えた向こう側（図１右側）が視認でき、また覆い板９側からは支持板８を越えた向こう側（図１左側）が視認できるものとなっている。
支持板８と覆い板９とは互いに乖離して配置されていることから、これら両板８，９の相互間には上下方向にわたって連通したスペースが形成されている。
支持板８及び覆い板９を透明板とする場合において、光の透過や視認性などで偏光や屈折が起こらないようにするためにはこれら両板８，９を平行に配置するのが好適となる。
【００１４】
流水支持部２において、支持板８は、覆い板９へ向く方の面を水の伝わる面として使用するものであって、ここに流水１２を形成させることができる。この流水１２は、支持板８の略全面にわたって形成するのが好適である。
またこの流水１２は、支持板８と覆い板９との相互間スペースを上下方向にわたって満水とはしないように形成する。すなわち、支持板８を伝って生じる流水１２と、覆い板９においてこの流水１２に向く面との間には空気層が残されるようになっている。この空気層が、流水１２に対し、空気流を接触させるための接触領域１３となる。
【００１５】
送気部５において、覆い板９は、支持板８との相互間に形成される接触領域１３を、覆い板９を隔てた室内側（熱交換の対象領域）との間で仕切るためのもの、と言うことができる。この覆い板９には通気孔１５が貫通形成されており、この通気孔１５を介して接触領域１３と対象領域とが連通している。そのためこの覆い板９は、接触領域１３内で流水支持部２の流水１２に接触した後の空気流を、熱交換の対象領域へ向けて誘導することができる。
【００１６】
なお、通気孔１５は、対象領域と覆い板９との配置関係や対象領域の広さなどに合わせるうえで、覆い板９の全面に対してランダムの分散配置又は規則性を持った整然配置で設けるようにしてもよいし、覆い板９の特定領域（例えば、上下の各辺部に沿った領域や高さ方向の中央領域、左右方向に偏った領域など）にのみ、設けるようにしてもよい。
給水装置３は、流水支持部２の支持板８に対し、流水の源とする水又は湯を連続供給するためのものである。本第１実施形態では、流水支持部２（支持板８）の上部に水槽２０を設置して、この水槽２０から樋部２１を介して支持板８の上端へ水を掛け流すようにしてある。水槽２０には、上水道から直接的に給水するようにしてもよいし、流水支持部２の下部で回収した水を循環的に給水させるようにしてもよい。また冷水器や温水器など（図示略）で温度管理した水又は湯を給水することも可能である。
【００１７】
ヒートポンプ４は、空気流を冷却又は昇温させながら、流水支持部２で形成される流水１２へ向けてこの空気流（冷気流又は暖気流）を接触させるように送り込むためのものである。図１は、室内側の熱交換領域へ向けて冷気流を送り込む場合を例示してあり、支持板８と覆い板９との相互間に形成される接触領域１３に対し、その上部側方に設けた吹込口２４から冷気流を供給し、もって、支持板８を伝って生じる流水１２とこの冷気が接触後に覆い板９の各通気孔１５から室内側へ噴き出すように構成してある。ヒートポンプ４から吹込口２４への冷気流の送り込みを確実且つ強力に行うために、送給経路中に送風機２３などを設けるとよい。
【００１８】
なお、図１においてヒートポンプ４は、蒸発器４ａ、圧縮機４ｂ、凝縮器４ｃ、膨張弁４ｄが接続された空気熱式のものを例示してあり、室内側（熱交換の対象領域）へ冷気流を噴き出させる（空気流を冷却させる）場合には、室内側から吸い込んだ空気を蒸発器４ａに接触させて吸熱させ、その後に接触領域１３（吹込口２４）へ送り込むようにする。一方で、空内側へ暖気流を噴き出させる（空気流を昇温させる）場合には、室内側から吸い込んだ空気流を凝縮器４ｃに接触させて加熱させ、その後に接触領域１３へ送り込むようにする。
【００１９】
このような構成を具備して成る本考案の熱交換システム１では、給水装置３から連続給水を行って流水支持部２の支持板８で流水１２を形成させ、これに合わせて、この流水２に向けて（接触領域１３へ）ヒートポンプ４からの空気流（例えば冷気流）を吹き込ませる。これにより、空気流が流水１２との接触で一層冷却又は昇温され、その状態で送気部５を介して室内側（熱交換の対象領域）へ噴き出される。従って、室内側が効率よく冷房又は暖房されるものである。
【００２０】
なお、支持板８及び覆い板９を透明なガラス板としているので、室外側や室内側からは、流水１２が流れ落ちる様子を見ることができる。そのため、これを見る者に清涼感や癒し効果等を与えることができる。また、流水１２の源とする水や湯に着色しておくことで、視覚効果を一層高めたり、視覚遮断効果を発現させたりすることもできる。
言うまでもなく、この熱交換システム１の不使用時（流水１２の非形成時）には、支持板８及び覆い板９を介してそれらの向こう側を見ることができる。例えば、室外側からは
室内の様子を見ることができ、ショーウインドウなどとして好適に使用できるのであるし、室内側からは外の気色を見ることができ、窓として好適に使用できるものである。
【００２１】
流水支持部２の支持板８をその下端部まで流れ落ちた水や湯は、適宜設けた排水路２７により、前記したように給水装置３へ回収させて本システム中で循環使用してもよいし、近隣の排水溝や池、川などへ放流してもよい。
図２は、本考案に係る熱交換システム１の第２実施形態を示している。本第２実施形態が前記した第１実施形態（図１）と最も異なるところは、給水装置３が、流水支持部２の支持板８と併設された貯水部３０を有している点にある。
【００２２】
貯水部３０は、流水支持部２を基準においた配置関係で言えば、その接触領域
１３を形成する側（図２の右側）とは逆向きとなる側（図２の左側）に配置されており、この流水支持部２を覆うようになっている。換言すれば、貯水部３０は、
流水支持部２から見て接触領域１３に対する背領域に配置されていると言うこともできる。
この貯水部３０には、流水支持部２の支持板８と貯水部３０の上部との間を連通させる導水路３１が設けられている。この導水路３１は貯水部３０のオーバーフロー孔として作用する。すなわち、給水装置３は、水槽２０から真下へ伸びる樋部２１を介して直接にこの貯水部３０へ水又は湯を供給するものであり、流水支持部２の支持板８に流水１２の源とする水又は湯を供給するより先に、この貯水部３０を満水状態にさせる。そして、この貯水部３０が満水とされた後に、導水路３１から溢れ出た水又は湯が流水支持部２側へと供給されるものである。
【００２３】
このような貯水部３０を設けることで、流水支持部２で生じる流水１２は一定流量が確保されることになり、水膜の膜厚も一定で均厚なものとなる（整流された流れとなる）利点がある。また、貯水部３０は流水支持部２の背領域で満水状態を保持することから、流水支持部２に対しては、室外側からの断熱層としての作用を奏することになる。
なお、本第２実施形態では、水槽２０に対し、貯水部３０よりも室外側となる位置にドレン部３２を設けてあり、このドレン部３２を遠隔操作弁３３で開閉できるように構成してある。そのため、必要に応じて、貯水部３０の室外側でも水流や水滴が落下する状況を作りだせるようになっている。
【００２４】
貯水部３０において、室外側との仕切りとなる板部３４についても、ガラスなどの透明板を使用することができる。
その他、本第２実施形態における各部の細部形状や構造、相対的な配置関係及び作用等に関しては第１実施形態と略同様であるので、同じ作用を奏するものに同一符号を付することでここでの詳説は省略する。
【００２５】
図３は、本発明に係る熱交換システム１の第３実施形態を示している。本第３実施形態では、起立する２枚の側板４０，４１を互いに乖離状態で併設させて、これら側板４０，４１間に貯水空間４２を形成させるようにすることで、この貯水空間４２の形成部分で流水支持部２を構成させている。
すなわち、側板４０，４１間の底部寄りには給水口４４を設けてあり、この給水口４４へ給水装置３（図示略）から連続給水を行わせるようにしてある。また側板４０，４１間の上部寄りにはオーバーフロー孔４５を設けてあり、このオーバーフロー孔４５で一定水位を保持させるようにしてある。従って、側板４０，４１間では、オーバーフロー孔４５の高さ位置に合わせて形成される貯水水面にて、オーバーフロー孔４５へ向かう流水１２が生じることになり、この流水１２の上方に接触領域１３が形成されるものである。
【００２６】
なお、本第３実施形態では、これら側板４０，４１において、貯水空間４２よりも上部（オーバーフロー孔４５よりも高い位置）で、室内側及び室外側の両方へ向けて貫通する通気孔１５が形成されている。従って、これら通気孔１５の形成された部分で送気部５が構成されたものである。
側板４０，４１間で、流水１２の上方に形成される接触領域１３に対してヒートポンプ４から空気流（冷気流又は暖気流）の吹き込みを行わせる点は、第１、第２実施形態と同じである。但し、本第３実施形態では、送気部５が室内側及び室外側の両方へ向けて通気孔１５を有した構成としてあるので、接触領域１３へ吹き込まれた空気流は、流水１２と
の接触で一層冷却又は昇温されたうえで、室内側及び室外側の両方へ噴き出されることになる。すなわち、室内側及び室外側の両方が熱交換の対象領域とされる。
【００２７】
そのため、本第３実施形態は、建物の外壁や窓として実施可能であるだけでなく、建物内の間仕切り壁などとしても実施することができる（図３では「外」「内」を表記しているが間仕切り壁とする場合は特に限定されるものではない）。側板４０，４１については、ガラスなどの透明板を使用することができるが、間仕切り壁として実施する場合では、樹脂板、金属板、無機質ボードなどの不透明板を使用してもよい。また、間仕切り壁として実施する場合、固定した壁とすることも移動可能な壁とすることもできる。
【００２８】
図４は、本発明に係る熱交換システム１の第４実施形態を示している。本第４実施形態は、前記した第３実施形態（図３）のオーバーフロー孔４５を室外側の側板４０に移動させることで、この側板４０の室外側面を使って水を掛け流し状に排水させるようにしたものである。
なお、この側板４０の室外側面で生じさせる水の掛け流しは、あくまでも排水を主目的にしたものである。すなわち、ヒートポンプ４からの空気流を接触させるための流水１２は、第３実施形態と同様に、側板４０，４１間でオーバーフロー孔４５へ向かうように形成される貯水水面のものとされる。
【００２９】
側板４０の室外側面で生じる水の掛け流しは、貯水空間４２に対する断熱層として作用するものであるし、また第１実施形態の場合と同様に、清涼感や癒し効果、視覚効果の向上、視覚遮断効果の発現などを期待できるものである。
その他、本第４実施形態における各部の細部形状や構造、相対的な配置関係及び作用等に関しては第３実施形態と略同様であるので、同じ作用を奏するものに同一符号を付することでここでの詳説は省略する。
【００３０】
図５は、本発明に係る熱交換システム１の第５実施形態を示している。本第５実施形態は、前記した第２実施形態（図２）の給水装置３について水槽２０を廃止し、代わりに建物の内部天井を利用した給水を行うように一部構造を置換したものである。
すなわち、本第５実施形態の給水装置３は、内部天井を３枚の傾斜板５０，５１，５２で形成させるようにして、屋根５３寄りの２枚の傾斜板５０，５１間に貯水空間５４を形成させている。また、この貯水空間５４に対して下層を形成している２枚の傾斜板５１，５２間で面水路５５を形成させているものである。
【００３１】
これら貯水空間５４や面水路５５に対しては、屋根５３の棟部などに設置した給水タンク（図示略）から給水を行うようにする。必要に応じて、貯水空間５４に貯めた水又は湯を面水路５５の上流部へポンプなどで導くようにしてもよい。そして、面水路５５から流れ落ちる水又は湯を下方の貯水部３０へ給水させるようにする。
面水路５５で生じさせる水又は湯の落流５６は、面水路５５内を満水にはさせないようにして、この落流５６の上方に空気層５８が確保されるようにしておく。この空気層５８に対しても、ヒートポンプ４からの空気流を吹き込ませるようにすると一層よい。
【００３２】
このような第５実施形態では、夏場であれば屋根５３からの伝熱を遮断する断熱作用を得ることができ、また冬場であれば屋根５３で受ける太陽熱を暖房に有郊利用できる利点がある。
その他、本第５実施形態における各部の細部形状や構造、相対的な配置関係及び作用等に関しては第２実施形態と略同様であるので、同じ作用を奏するものに同一符号を付することでここでの詳説は省略する。
【００３３】
図６は、本発明に係る熱交換システム１の第６実施形態を示している。本第６実施形態は、前記した第２実施形態（図２）を基に、室内側と室外側とを逆向きに入れ換えるように変更したものである。すなわち、熱交換の対象領域は室外側へ設定してある。従って例えば、ショーウインドウに近寄って立つ観覧者に対して、冷気や暖気を送るようなことができる（言うまでもなく、ここにおいて「ショーウインドウ」は貯水部３０よりも内側に展示物を展示することで構成させる）。
【００３４】
そのうえで、室外側においては、ある程度、離した位置（観覧者の立ち位置を取り込む距離位置）でエアーカーテン５７を発生させることができるようにしてある。また、本第６実施形態では更に、建物の内部天井や庇にも貯水機能を持たせている。
前記のように、本第６実施形態では熱交換の対象領域を室外側としているので、流水支持部２の支持板８は、室外側を向く面で流水１２が形成される。また、送気部５の覆い板９は、この流水１２との間に空気流との接触領域１３を形成できるように支持板８よりも更に室外側に配置されており、支持板８の室内側には貯水部３０が設けられている。
【００３５】
一方、本第６実施形態の給水装置３は、貯水部３０の底部寄りに設けた給水口（図示略）から貯水部３０内へ給水するようにしてある（第３実施形態（図３）や第４実施形態（図４）で採用した給水口４４を参照）。
そして、建物の内部天井を３枚の水平板６０，６１，６２で形成させるようにして、上側の２枚の水平板６０，６１間に貯水空間６４を形成させている。また下側の２枚の水平板６１，６２間では、面水路６５を形成させているものである。中央の水平板６１には面水路６５へ貫通する細孔６６を形成してあり、面水路６５には貯水空間６４からこの細孔６６を介して水又は湯が糸状に流れ落ちるようになっている。また面水路６５には、ヒートポンプ４からの空気流が吹き込まれるようになっている。このことにより、本第６実施形態では、内部天井によっても室内側が冷房又は暖房される作用が含まれる。
【００３６】
更に、貯水部３０の上端部に上下２枚の庇板６７，６８を設けて、これら庇板６７，６８間に、貯水部３０と連通する溢流路６９が形成されるようにしてある。この溢流路６９には、貯水部３０から導水路３１へ排出されることなく、余剰となった水又は湯が流れ出すようになっており、この溢流路６９から庇下端に設けた樋部７０を介して排水されることになる。
【００３７】
エアーカーテン５７は、樋部７０などに設けた送風機７１から下方へ向けてエアーを噴出することで形成される。このエアーカーテン５７は、送気部５の通気孔１５から噴き出す冷気や暖気にとって、外気に対する断熱作用を奏することになる。
図７、図８は、本発明に係る熱交換システム１の第７実施形態を示している。本第７実施形態では、例えば第１実施形態（図１）や第２実施形態（図２）で給水装置３に備えさせていた水槽２０を建物屋根５３の棟部へ設置し、この水槽２０から屋根５３の上面、又は屋根５３内に組み込んだパイプ材７３で本システム（流水支持部２）への水又湯の供給を行わせるようにしたものである。
【００３８】
パイプ材７３は、その長手方向を屋根流れ方向に沿わせた状態で複数本が互いに並設されている。パイプ材７３の相互間隔は、中心距離で３０ｃｍ程度とさせておけばよい。パイプ材７３は、屋根５３を構成する２枚の屋根板７４，７５によって上下から挟まれるようになっている。なお、上側の屋根板７４やパイプ材７３は、熱伝導性に優れた金属素材（例えば銅等）により形成されたものとするのが好適である。
【００３９】
このように構成することで、積雪時や凍結時には水槽２０に湯を貯めた状態にしておき、この水槽２０からパイプ材７３の中を通すようにして湯を下方の本システム（流水支持部２）へ供給することができる。
この場合、パイプ材７３及び上部の屋根板７４が湯で温められ、その上の雪や氷を融かす効果が得られる。また、水槽２０から屋根板７４に湯を直接流す場合とは異なり、湯温が一気に低下することがないので、本システム（流水支持部２）へ湯温を下げずに湯を供給できるものとなる。
【００４０】
なお、積雪が多い場合や外気温が低い場合には、屋根板７４をも適宜手段で加熱させるようにすればよい。また、積雪時や凍結時であっても外気温が温かい場合、及び積雪時や凍結時以外の場合であれば、屋根板７４に水又は湯を直接流すようにしてもよい。
図９は、本発明に係る熱交換システム１の第８実施形態を示している。本第８実施形態では、送気部５に対し、通気孔１５の配置部に近接させるようにして換気扇、除湿機、加湿器などのファン装置８０を併設させたものである。ファン装置８０は、本システム１と隣接する周辺構造物（壁、窓、庇、屋根など）に設けてもよい。このようにすることで、本システム１を複数階層の建物において上下に繋げて構築させることが可能になる（ファン装置８０が上下方向の給水構造にとって邪魔な存在となることを防止できる）。
【００４１】
図１０は、本発明に係る熱交換システム１の第９実施形態を示している。本第９実施形
態は、建物の床として本システムを実施したものである。具体的には、床部を２枚の床板８３，８４で形成させるようにして、これら床板８３，８４間に貯水空間８５と、この貯水空間８５上方の接触領域１３とを形成させている。貯水空間８５に貯める水又は湯は、図示は省略するが、給水装置３との間で適宜配管を設けて給排水するものとする。従って、この貯水空間８５に貯められる水又は湯の水面に流水１２が形成されるものである（すなわち、下側の床板８４は流水支持部２の支持板８を構成していることになる）。また接触領域１３には、ヒートポンプ４からの空気流が吹き込まれるようになっている。
【００４２】
上側の床板８３には上下に貫通する細孔８６が形成されており、貯水空間８５内で流水１２と接触後の空気流が、接触領域１３からこの細孔８６を介して床上方（室内）へ噴き出されるようになる。
ところで、本発明は、前記各実施形態に限定されるものではなく、実施の形態に応じて適宜変更可能である。
【００４３】
例えば、支持板８や覆い板９は、ガラスにより形成する場合に、着色透明や不透明の板とすることも可能である。支持板８や覆い板９は、ガラスに限定されず、樹脂板、金属板、無機質ボードなどとしてもよい。
ヒートポンプ４は、ペルティエ素子などの半導体を用いたものを採用することもできる。また、ヒートポンプ４は、空気熱を利用したものに限らず、地中熱や太陽熱などを利用したものを採用することもできる。
【００４４】
本発明に係る熱交換システム１は、第７実施形態（図７、図８）に示したような勾配の付いた屋根５３に限らず、陸屋根にも実施可能である。陸屋根であれば、太陽の動きや風の影響を受けにくく良好な熱交換が行える利点もある。なお勾配の付いた屋根５３とする場合も陸屋根の場合も、パイプ材７３の使用は必ずしも限定されるものではなく、第６実施形態（図６）で内部天井として例示したような積層構造などを屋根構造として採用すればよい。
【符号の説明】
【００４５】
１ 熱交換システム
２ 流水支持部
３ 給水装置
４ ヒートポンプ
４ａ蒸発器
４ｂ圧縮機
４ｃ凝縮器
４ｄ膨張弁
５ 送気部
８ 支持板
９ 覆い板
１２流水
１３接触領域
１５通気孔
２０水槽
２１樋部
２３送風機
２４吹込口
２７排水路
３０貯水部
３１導水路
３２ドレン部
３３遠隔操作弁
３４板部
４０，４１側板
４２貯水空間
４４給水口
４５オーバーフロー孔
５０，５１傾斜板
５３屋根
５４貯水空間
５５面水路
５６落流
５７エアーカーテン
５８空気層
６０，６１水平板
６４貯水空間
６５面水路
６６細孔
６７，６８庇板
６９溢流路
７０樋部
７１送風機
７３パイプ材
７４，７５屋根板
８０ファン装置
８３，８４床板
８５貯水空間
８６細孔
【図１】
2015083917.tif 000003
【図２】
2015083917.tif 000004
【図３】
2015083917.tif 000005
【図４】
2015083917.tif 000006
【図５】
2015083917.tif 000007
【図６】
2015083917.tif 000008
【図７】
2015083917.tif 000009
【図８】
2015083917.tif 000010
【図９】
2015083917.tif 000011
【図１０】
2015083917.tif 000012